(57)【要約】【解決手段】  本発明は、かご２を有するショッピングカート１であって、このかごの場合、このかごの端面壁３の内側面４に、小型の品物トレイ１３が固定されている様式の、上記ショッピングカートに関する。本発明は、端面壁３が、この端面壁の上側の縁部７を出発点として、切欠き部１１を有しており、この切欠き部の上に、小型の品物トレイ１３が支持されていること、および、クランプ条片２０が設けられており、このクランプ条片が、この切欠き部１１の閉鎖、および、この小型の品物トレイ１３の付加的な保持のための役割を果たすように構成されていることによって特徴付けられる。
2005511387.tif 000002
【特許請求の範囲】
【請求項１】
かご（２）を有するショッピングカート（１）であって、
このかごの場合、このかごの端面壁（３）の内側面（４）に、小型の品物トレイ（１３）が固定されている様式の、上記ショッピングカートにおいて、
端面壁（３）が、この端面壁の上側の縁部（７）を出発点として、切欠き部（１１）を有しており、この切欠き部の上に、小型の品物トレイ（１３）が支持されていること、および、
クランプ条片（２０）が設けられており、このクランプ条片が、この切欠き部（１１）の閉鎖、および、この小型の品物トレイ（１３）の付加的な保持のための役割を果たすように構成されていることを特徴とするショッピングカート。
【請求項２】
小型の品物トレイ（１３）は、突出部（１６）を用いて支持されており、これら突出部が、この小型の品物トレイ（１３）の前方壁（１５）に設けられていることを特徴とする請求項１に記載のショッピングカート。
【請求項３】
クランプ条片（２０）は、係止不動的に、かご（２）の端面壁（３）と結合されていることを特徴とする請求項１または２に記載のショッピングカート。
【請求項４】
クランプ条片（２０）は、Ｕ字形の断面を有していることを特徴とする請求項１から３のいずれか一つに記載のショッピングカート。
【請求項５】
クランプ条片（２０）が、前方の脚部、および後方の脚部（２１、２２）を有していること、および、
この後方の脚部（２２）に、突出部（２４）が設けられており、これら突出部が、このクランプ条片（２０）の載置状態において、小型の品物トレイ（１３）に設けられた孔（１９）を通って貫通案内しており、且つ、端面壁（３）の内側面（４）に設けられている、凹部（１０）内において終端しているように構成されていることを特徴とする請求項１から４のいずれか一つに記載のショッピングカート１
【請求項６】
クランプ条片（２０）は、このクランプ条片の上側面において、グリップ溝部（２５）を備えられていることを特徴とする請求項１から５のいずれか一つに記載のショッピングカート。
【請求項７】
小型の品物トレイ（１３）は、かご（２）の側面壁（５）とねじ止めされていることを特徴とする請求項１から６のいずれか一つに記載のショッピングカート。
【発明の詳細な説明】
【技術分野】
【０００１】
本発明は、かごを有するショッピングカートであって、
このかごの場合、このかごの端面壁の内側面に、小型の品物トレイが固定されている、上記ショッピングカートに関する。
【背景技術】
【０００２】
公知のショッピングカートの場合、小型の品物トレイを固定するために必要である当該の手段は、フック状、または鳩目状の要素によって形成されており、これら要素が、目視可能に、特に、このかごの端面壁において不快感を与えるように作用する。
【発明の開示】
【発明が解決しようとする課題】
【０００３】
従って、本発明の課題は、今ここで問題になっている当面の様式のショッピングカートにおいて、小型の品物トレイを固定するために、かごの端面壁において必要である、当該の手段を、この手段が不快感を与えないように選択、および形成することである。
【課題を解決するための手段】
【０００４】
この課題の解決策は、
端面壁が、この端面壁の上側の縁部を出発点として、切欠き部を有しており、この切欠き部の上に、小型の品物トレイが支持されていること、および、
クランプ条片が設けられており、このクランプ条片が、この切欠き部の閉鎖、および、この小型の品物トレイの付加的な保持のための役割を果たすということにある。
【発明の効果】
【０００５】
クランプ条片に、特別な意義がある。何故ならば、このクランプ条片が、有利な方法で、小型の品物トレイの付加的な保持に適しているだけでなく、端面壁における切欠き部、並びに、この小型の品物トレイの当該の、この小型の品物トレイを支持するためにこの切欠き部に設けられている個々の物も覆うからである。このクランプ条片は、フック状、または鳩目状の要素が有している不快感を与えるような印象を与えない。本発明の実施形態に従って、このクランプ条片が、全く意識的にグリップ条片として形成、または形作られている場合、この上記の不快感を与えるような印象は、それだけいっそう少ない。
【０００６】
次に、図面に基づいて、本発明を詳しく説明する。
【発明を実施するための最良の形態】
【０００７】
図１において図示された、同じカートと積み重ね可能なショッピングカート１は、一般的に公知である、ショッピングカート１の当該の実績のある形状に相応している。ここで本発明に対して必要でない詳細な説明は、従って、不必要である。かご２の端面壁の内側面４に、小型の品物トレイ１３が固定されており、この小型の品物トレイは、例えば、クリームカートン、またはヨーグルトカートンのような、つぶれ易い物品を収容するための役割を果たす。この小型の品物トレイ１３は、この小型の品物トレイの両方の側面１４でもって、このかご２の側面壁５において終わっており、且つこれら側面壁においてねじ止めされている。この端面壁３の上側の縁部７において、Ｕ字形の断面を有するクランプ条片２０が設けられており、このクランプ条片の機能を、以下に説明する。
【０００８】
図２は、かご２の前方の領域６を、このかごの端面壁３と共に示している。この端面壁３の上側の縁部７を出発点として、切欠き部１１が、下に向かって延在している。この端面壁３に対する垂直方向のある間隔をおいて、小型の品物トレイ１３が図示されており、この小型の品物トレイは、矢印方向において、この端面壁３上へと載置可能である。この小型の品物トレイ１３の前方壁１５に、突出部１６が設けられており、これら突出部は、この切欠き部１１の水平方向の部分１２上で、この小型の品物トレイ１３を支持するための役割を果たす。載置された状態において、この小型の品物トレイ１３は、この端面壁３の内側面４に隣接し、その際、この小型の品物トレイ１３の上側の縁部１７が、ほぼ、端面壁３の両方の上側の縁部分８と同じ水平方向の面上に存在している。この小型の品物トレイ１３の上方に、クランプ条片２０が描かれており、このクランプ条片は、上方から、小型の品物トレイ１３上へと、および、この端面壁３の切欠き部１１上へと載置可能である。この載置された状態において、この切欠き部１１と同じくらいの幅であるクランプ条片２０は、この小型の品物トレイ１３の前方壁１５の上側の縁部１８を囲繞しており、且つ、このクランプ条片の前方の脚部２１でもって、この端面壁３の外側面において切欠き部１１と連なる、幅の狭い水平方向の領域９に隣接している。後方の脚部２２の内側壁２３に、突出部２４が設けられており、これら突出部が、クランプ条片２０の載置状態において、小型の品物トレイ１３の前方壁１５に設けられている、孔１９を通って貫通案内している。これら突出部２４は、この端面壁３の内側面４において、切欠き部１１の下側すれすれに設けられている、凹部１０内において終端している。これら突出部２４は、適当な形状賦与形態に基づいて、これら凹部１０に結合されており、従って、このクランプ条片２０が、相応して形作られた状態で、この小型の品物トレイ１３の前方壁１５、および、このかご２の端面壁３と付勢されている。このクランプ条片２０は、従って、この切欠き部１１を閉鎖し、且つ、付加的に、この小型の品物トレイ１３を保持する。このクランプ条片２０は、このクランプ条片の上側面において、有利には、グリップ溝部２５を有しており、従って、このクランプ条片２０が、この構造およびやり方で、保持手段としての見た目の特性がなくなる。このかご２、小型の品物トレイ１３、並びに、クランプ条片２０は、有利には、合成物質から製造されている。
【図面の簡単な説明】
【０００９】
【図１】かごの端面壁を注視した、ショッピングカートの図である。
【図２】小型の品物トレイの載置、および保持工程の図である。
【図１】
2005511387.tif 000003
【図２】
2005511387.tif 000004
【国際調査報告】
2005511387.tif 000005
2005511387.tif 000006
2005511387.tif 000007
2005511387.tif 000008
2005511387.tif 000009
2005511387.tif 000010